(57)【要約】【課題】  持ち運び時に傾けても容器内部に収納した飲料が吐出して飛散するようなことがなく、しかも構造も簡素であるとともに、ストロー差し込みも容易で使い勝手のよい飲料容器の蓋材用ラベルを提供する。【解決手段】  容器本体２の開口部を塞ぐように蓋材３が被着され、該蓋材にストロー差し込み用の穴４が形成されている飲料容器１の、蓋材３のストロー差し込み用の穴４を被覆するように粘着して用いられるラベル１０である。ラベル１０は合成紙又は合成フィルム層１１と、この合成紙又は合成フィルム層と粘着剤１２にて粘着された破れ易い薄いフィルム又はセロファン層１３と、このフィルム又はセロファン層と粘着剤１４にて粘着された剥離台紙１５とが順次積層して構成されている。合成紙又は合成フィルム層１１にのみストロー差し込み用の穴１６が形成されている。【選択図】      図２
2016204033.tif 000002
【特許請求の範囲】
【請求項１】
容器本体の開口部を塞ぐように蓋材が被着され、該蓋材にストロー差し込み用の穴が形成されている飲料容器の、前記蓋材のストロー差し込み用の穴を被覆するように粘着して用いられるラベルであって、合成紙又は合成フィルム層と、この合成紙又は合成フィルム層と粘着剤にて粘着された破れ易い薄いフィルム又はセロファン層と、このフィルム又はセロファン層と粘着剤にて粘着された剥離台紙とが順次積層して構成され、前記合成紙又は合成フィルム層にのみストロー差し込み用の穴が形成されていることを特徴とする飲料容器蓋材用ラベル。
【請求項２】
合成紙又は合成フィルム層に形成されたストロー差し込み用の穴は、飲料容器の蓋材に形成のストロー差し込み用の穴とほぼ同じ大きさのＸ状に抜いた切れ目である請求項１に記載の飲料容器蓋材用ラベル。
【請求項３】
合成紙又は合成フィルム層とフィルム又はセロファン層とを粘着する粘着剤は、合成紙又は合成フィルム層に形成されるストロー差し込み用の穴の周囲を囲むように設けられている請求項１又は２に記載の飲料容器蓋材用ラベル。
【発明の詳細な説明】
【技術分野】
【０００１】
この発明は、例えばスーパーマーケットやコンビニエンスストアー等でコーヒーや清涼飲料などの飲料を収容して販売するのに用いられる飲料容器の蓋材用ラベルに関するものである。
【背景技術】
【０００２】
従来、この発明の一実施の形態で説明用として挙げた図１に示すような、プラスチック製飲料容器が知られている。この飲料容器１は容器本体２と、該本体の上端開口部を塞ぐように被着される蓋材３とからなり、該蓋材にはストロー差し込み用の穴となるＸ状の切れ目４が入れてある。
【０００３】
ところで、前記のような飲料容器１の場合、蓋材３に切れ目４をＸ状に抜いて入れてあるために持ち運び時に少しでも傾けると内部の飲料が切れ目４から外部に吐出して飛散し周囲を汚してしまうという問題があった。また、切れ目４の部分を介して内気温が逃げてしまい、飲料の温度が外気温に影響され易くなるという問題もあった。
【０００４】
この発明に関連する先行技術文献としては、ストロー突き刺し性を有する蓋材（特許文献１）や、ストロー差し込み部位保護の容器入り飲食物（特許文献２）等がある。特許文献１の蓋材は、紙の片面にポリプロピレンフィルムが接着され、もう一方の面にポリエチレンテレフタレートフィルムが接着されて基材層とし、そのいずれか一方の面にシーニント層が施されているもので、これにより保存安定性のあるストロー突き刺し性を有する等の効果があるとされる。
【０００５】
しかし、この特許文献１に示す蓋材は、あくまでも容器の開口部を覆う蓋材自体の発明であって、この発明のように蓋材を前提として該蓋材に貼付されるラベルを対象とするものではないのに加え、前記図示のような蓋材を前提とする飲料容器には不適である。
【０００６】
また、特許文献２に示す飲食物は、保護シールを封止シールに代えて、該封止シールを被覆するように被嵌したオーバーキャップの表面に接着配置し、かつストロー差し込み部位を該オーバーキャップ面内に配置した差込穴としたものであり（図５，６）、これによりストロー吸引する飲食物における需要者の不快感や安全上の不安を可及的に解消できる効果があるとされる。
【０００７】
しかし、この特許文献２に示す飲食物は、保護シールが封止シールを被覆するように被嵌したオーバーキャップの表面に接着されているものであるし、保護シール自体も一層構造からなり、使用に際しオーバーキャップの差込穴にストローを差し込むには摘みを持って浮き上げ措置をミシン目に沿って剥離しなければならない等、構造も複雑であるとともに、剥離も必ずしも容易であるとはいえない。
【先行技術文献】
【特許文献】
【０００８】
【特許文献１】特開２００４−１３６９１８号公報
【特許文献２】特開２０１０−１８４７３１号公報
【発明の概要】
【発明が解決しようとする課題】
【０００９】
そこでこの発明は、前記のような従来の問題を解決し、持ち運び時に傾けても容器内部に収容した飲料が吐出して飛散するようなことがなく、しかも構造も簡素であるとともに、ストロー差し込みも容易で使い勝手のよい飲料容器の蓋材用ラベルを提供することを目的とする。
【課題を解決するための手段】
【００１０】
前記課題を解決するために、請求項１に記載の発明は、容器本体の開口部を塞ぐように蓋材が被着され、該蓋材にストロー差し込み用の穴が形成されている飲料容器の、前記蓋材のストロー差し込み用の穴を被覆するように粘着して用いられるラベルであって、合成紙又は合成フィルム層と、この合成紙又は合成フィルム層と粘着剤にて接着された破れ易い薄いフィルム又はセロファン層と、このフィルム又はセロファン層と粘着剤にて粘着された剥離台紙とが順次積層して構成され、前記合成紙又は合成フィルム層にのみストロー差し込み用の穴が形成されていることを特徴とする。
【００１１】
請求項２に記載の発明は、請求項１において、合成紙又は合成フィルム層に形成されたストロー差し込み用の穴は、飲料容器の蓋材に形成のストロー差し込み用の穴とほぼ同じ大きさのＸ状に抜いた切れ目であることを特徴とする。
【００１２】
請求項３に記載の発明は、請求項１又は２において、合成紙又は合成フィルム層とフィルム又はセロファン層とを接着する粘着剤は、合成紙又は合成フィルム層に形成されるストロー差し込み用の穴の周囲を囲むようにして設けられていることを特徴とする。
【発明の効果】
【００１３】
この発明は、前記のようであって、請求項１に記載の発明によれば、合成紙又は合成フィルム層と、この合成紙又は合成フィルム層と粘着剤にて接着された破れ易い薄いフィルム又はセロファン層と、このフィルム又はセロファン層と粘着剤にて粘着された剥離台紙とが順次積層して構成され、前記合成紙又は合成フィルム層にのみストロー差し込み用の穴が形成されているので、ストローを差し込まない使用前の通常の状態では容器内部は差し込み穴のないフィルム又はセロファン層で密封され、持ち運びで容器を傾けても飲料が吐出して飛散することがない。また、使用に際しては合成紙又は合成フィルム層にあるストロー差し込み用の穴からストローを差し込めば、フィルム又はセロファン層を突き破り、さらに蓋材のストロー差し込み用の穴を経て容器内部にまで差し込むことができ、構造が簡素であるにも拘わらず、ストロー差し込みが容易で使い勝手がよいものとなる。
【００１４】
請求項２に記載の発明によれば、ストロー差し込み用の穴が蓋材のストロー差し込み用の穴とほぼ同じ大きさのＸ状に抜いた切れ目であるので、蓋材のストロー差し込み用の穴に差し込むのと同様な感覚でストローの差し込みができるのに加え、ラベルの蓋材への貼付も蓋材の差し込み穴を見ながら貼付することができ、便利である。
【００１５】
請求項３に記載の発明によれば、合成紙又は合成フィルム層とフィルム又はセロファン層とを接着する粘着剤が合成紙又は合成フィルム層に形成されるストロー差し込み用の穴の周囲を囲むようにして設けられているので、ストローの差し込みに際し穴に負荷がかかっても、粘着剤部分で穴が千切れるのを防止することができる。
【図面の簡単な説明】
【００１６】
【図１】この発明の一実施の形態で説明用として挙げた飲料容器を示す斜視図である。
【図２】同上の飲料容器の蓋材に貼り付けられるラベル基紙を示す要部の概略平面図である。
【図３】同上の拡大断面図である。
【図４】同上のラベルが飲料容器の蓋材に粘着された状態の概略平面図である。
【図５】図４の線Ａ−Ａに沿う拡大断面図である。
【発明を実施するための形態】
【００１７】
以下、図面を参照しながら、この発明の一実施の形態に係る飲料容器の蓋材用ラベルについて説明する。
【００１８】
図１において、１は飲料容器、２はその容器本体、３は蓋材、４はストロー差し込み用の穴としてのＸ状の切れ目であり、これらは前述した通りである。
【００１９】
図２，３において、１０は前記蓋材用のラベルであり、図２に示すように製造過程では長尺状に複数のラベルが連接したロール状態となっている。使用に際して、一つ一つ切り離されて用いられる。切り離されたラベル１０の断面構造は、図３に示すように合成紙又は合成フィルム層１１と、この合成紙又は合成フィルム層１１と粘着剤１２にて粘着された破れ易い薄いフィルム又はセロファン層１３と、このフィルム又はセロファン層１３と粘着剤１４にて粘着された剥離台紙１５とが順次積層して構成されている。合成紙又は合成フィルム層１１にはストロー差し込み用の穴としてのＸ状の切れ目１６が入れてある。この切れ目１６は飲料容器１の蓋材３に設けた切れ目４とほぼ同じ大きさとなっている。また、両切れ目１６，４とも予め抜いた状態におかれている。
【００２０】
合成紙又は合成フィルム層１１としては、例えば株式会社ユポ・コーポレーション製のユポ（登録商標）や中本パックス株式会社製のカルレ（登録商標）が好ましい。ユポは、ポリプロピレンを主原料とし、耐水性に優れ、洋紙のように水分による強度の低下や、素材自体の変形や変質、崩壊がない。また、引張弾性が強く、他の合成樹脂フィルムのように若干伸びる特性がある。カルレは、白さ、光沢感、平滑性に勝れ、また軽さと強靱さを併せ持っている。ユポ及びカルレとも厚みは６０〜５００ミクロン程度となっている。
【００２１】
フィルム又はセロファン層１３としては、例えば旭化成ケミカルズ株式会社製のＯＰＳ（登録商標）が好ましい。ＯＰＳの厚さは２０〜５０ミクロン程度となっている。なお、フィルム又はセロファン層１３としては、前記ＯＰＳのほか、これと同効の材料でもよい。
【００２２】
粘着剤１２と粘着剤１４は、図２に示すように切れ目１６の周りが平面視円形の非粘着部１７となるように配されている。このように配しているのは切れ目１６を保護し、不用意な負荷がかかることにより切れ目１６が千切れることが無いようにするためである。
【００２３】
前記のようなラベルの製造方法について、簡単に説明する。
ラベル１０を製造するには、まずロール状となっている合成紙又は合成フィルム層１１に所定間隔で切れ目１６を連続して入れる。次にこの合成紙又は合成フィルム層１１に同じくロール状となっている薄いフィルム又はセロファン層１３を粘着剤１２で粘着するが、粘着に際して粘着剤１２は合成紙又は合成フィルム層１１の切れ目１６のある周りに丸い非粘着剤の部分を形成して引く。こうすることによりストローの差し込みに際し、フィルム又はセロファン層１３が薄くかつ柔らかく破れ易いため容易にストローの差し込みを可能とする一方、切れ目１６のある合成紙又は合成フィルム層１１がストローの差し込みに伴いその周囲まで千切れてしまうことを防止することが可能となる。しかる後、フィルム又はセロファン層１３の粘着剤１２を引いている部位に同様に粘着剤１４を引いた剥離台紙１５を貼り合わせると、一連のロール状のラベル基紙が出来上がる。図２はそのラベル基紙を示す。しかる後、このラベル基紙から切れ目１６の前後を境として一つ一つ抜いて切り離すと、ラベル１０ができ上がる。使用に際しては、この切り離されたラベル１０が蓋材３に供給されて貼付されることになる。
【００２４】
次に、前記実施の形態のラベル１０の作用を、図４，５を参照して説明する。飲料容器１の蓋材３に用いるにはロール状のラベル基紙から一つ一つ切り離したラベル１０を、剥離台紙１５を剥がしたうえ、飲料容器１の蓋材３の切れ目１６のある部位に、切れ目４，１６同士がほぼ重なり合うように見当合わせして粘着剤１４により粘着させる。この状態を表したのが図４であり、図５はここの部位の断面を示している。このラベル１０の蓋材３への粘着によりラベル１０の合成紙又は合成フィルム層１１にある切れ目１６と飲料容器１の蓋材３にある切れ目４とは上下方向で重なり合うようになる。
【００２５】
ラベル１０が飲料容器１の蓋材３に粘着された状態では該容器の内部と外部とは薄いフィルム又はセロファン層１３が介在するため連通することがない。そのため内部に飲料を収容した飲料容器１を持ち運ぶ際に傾けても内部の飲料が吐出するのがフィルム又はセロファン層１３で阻止され、従前のように飲料が飛散するようなことが防止される。
【００２６】
そして、図示省略のストローによって飲料容器１内の飲料を吸引するには、ストローの先端をラベル１０の切れ目１６に当て、突き刺すようにする。この突き刺しにより切れ目１６を経てその直下の薄いフィルム又はセロファン層１３が突き破られ、さらにストローはその先端が容器の切れ目４を経て容器底部に達するまで挿入が可能となるので、適度の挿入位置で飲料を吸引することができる。このストローによってフィルム又はセロファン層１３が突き破られた時にフィルム又はセロファン層１３は切れ目１６周囲にある非粘着部１７を囲む粘着剤１２や粘着剤１４で保護されているから過度の千切れや切り裂かれ過ぎも起きない。
【００２７】
前記のようであって、この実施の形態の蓋材用ラベル１０によれば、使用前の状態では容器内部は何も切れ目のないフィルム又はセロファン層１３で密封されているので、持ち運びのときに容器１を傾けても従前の何もないときのように飲料が吐出して飛散することがなく、安全である。また、使用に際しては合成紙又は合成フィルム層１１に形成した切れ目１６からストローを差し込めば、ストローはその先端でフィルム又はセロファン層１３を突き破り、さらに蓋材３の切れ目４を経て容器内部にまで差し込むことができる。そのためストローの差し込みもきわめて容易で使い勝手もよい。
【００２８】
また、ラベル１０によれば、切れ目１６がＸ状と、蓋材３の切れ目４と同形状で同じ大きさであるので、蓋材３の切れ目４に差し込むのと同様な感覚で、違和感なくストローの差し込みができる。しかも、蓋材３への貼付も蓋材の切れ目４を見ながら貼付することができるので、貼付間違いもなく、便利である。また、ラベル１０によれば、粘着剤１４が合成紙又は合成フィルム層１１に形成される切れ目１６の周囲を囲むようにして設けられているので、ストローの差し込みに際し切れ目１６に多少の負荷がかかることがあっても、持ちこたえて切れ目が千切れる等のことがない。
【００２９】
前記実施の形態では、合成紙又は合成フィルム層１１に形成するストロー差し込み用の穴としてＸ状の切れ目１６を挙げて示したが、これは一例であり、Ｘ状の切れ目以外のものでもよく、要はストローの先端で孔を開けられればその形状は問わない。また、切れ目１６の周りの粘着剤１２を引いていない非粘着剤の部分も孔が容易に開けることができれば、必ずしも実施の形態のように丸くなくともよい等、特許請求の範囲に記載した範囲内で任意に設計的な事項を変更することができる。
【符号の説明】
【００３０】
１  飲料容器
２  容器本体
３  蓋材
４  切れ目
１０  ラベル
１１  合成紙又は合成フィルム層
１２  粘着剤
１３  フィルム又はセロファン層
１４  粘着剤
１５  剥離台紙
１６  切れ目
【図１】
2016204033.tif 000003
【図２】
2016204033.tif 000004
【図３】
2016204033.tif 000005
【図４】
2016204033.tif 000006
【図５】
2016204033.tif 000007